(57)【要約】【課題】横形製袋充填機において供給コンベアの清掃作業などの保守作業スペースを確保する。【解決手段】横形製袋充填機のフィルム供給源１０から引き出した帯状のフィルムＦを製袋手段１４で成形した筒状のフィルムＦに向けて被包装物Ｍを供給する供給コンベア１３の上方の案内位置Ｐ１において、製袋手段１４に向けて所定の進入角度αでフィルムＦを送り込み案内する位置調節可能な案内ローラ１６Ｄ，１６Ｅとその案内ローラ１６Ｄ，１６Ｅを支持して上下方向に回動可能な支持部材２１と、その支持部材２１を上方に回動した退避位置Ｐ２で支持部材２１と係合する係合部３４ａを備えて、案内ローラ１６Ｄ，１６Ｅを退避位置Ｐ２に保持する規制部材３４と、その規制部材３４と支持部材２１との係合を解除する係合解除手段３１とを設けた。【選択図】図１
2011157112.tif 000002
【特許請求の範囲】
【請求項１】
フィルム供給源から引き出した帯状のフィルムを製袋手段で筒状に成形し、その筒状のフィルムに向けて被包装物を供給コンベアで供給するようにした横形製袋充填機において、
前記供給コンベアの上方に配設され、案内位置において前記製袋手段に向けて所定の進入角度でフィルムを送り込み案内する位置調節可能な案内ローラと、
該案内ローラを支持して上下方向に回動可能な支持部材と、
該支持部材を上方に回動した退避位置において支持部材と係合する係合部を備え、前記案内ローラを退避位置に保持する規制部材と、
該規制部材と前記支持部材との係合を解除する係合解除手段と
から構成したことを特徴とする横形製袋充填機におけるフィルム案内装置。
【請求項２】
前記支持部材と前記規制部材の何れか一方に凹状係合部を有し、他方に凸状係合部を有し、それら凹状係合部と凸状係合部による凹凸の嵌め合いで係合することを特徴とする請求項１に記載の横形製袋充填機におけるフィルム案内装置。
【請求項３】
前記係合部は退避位置から前記案内ローラを下方に回動した案内位置までの間における複数箇所で、前記支持部材で保持し得る複数の係合位置を設けたことを特徴とする請求項１又は請求項２に記載の横形製袋充填機におけるフィルム案内装置。
【請求項４】
前記支持部材を下方の案内位置で移動不能に固定する固定手段を設けたことを特徴とする請求項１〜請求項３のうちいずれか一項に記載の横形製袋充填機におけるフィルム案内装置。
【請求項５】
前記案内ローラは、前記支持部材におけるアームに対して移動可能に支持され、案内ローラの支持位置に応じて、案内ローラから前記製袋手段に向けて送り込まれるフィルムの進入角度を変化させ得るようにしたことを特徴とする請求項１〜４のうちいずれか一項に記載の横形製袋充填機におけるフィルム案内装置。
【請求項６】
前記支持部材は、案内ローラを支持するアームと、該アームの端部に回動可能に支持した係合レバーからなる係合解除手段とを備え、該係合レバーが規制部材の係合部の上方へ係合することを特徴とする請求項２〜請求項５のうちいずれか一項に記載の横形製袋充填機におけるフィルム案内装置。
【発明の詳細な説明】
【技術分野】
【０００１】
この発明は、帯状のフィルムにより被包装物を包装するようにした横形製袋充填機において、フィルム供給源から引き出されたフィルムを製袋手段に向けて案内するフィルム案内装置に関するものである。
【背景技術】
【０００２】
従来、この種の横形製袋充填機におけるフィルム案内装置としては、例えば特許文献１に開示されるような構成が採用されている。
この従来構成に開示されているごとく、原反ロールから引き出された帯状のフィルムは、フィルム搬送経路に設けられた複数の案内ローラに巻き掛け案内されて製袋手段に至るよう構成されている。
【０００３】
そして、供給コンベアの上方において斜め下方に延出するアームに支持された案内ローラを経たフィルムは、製袋手段に向けて所定の進入角度で送り込まれる。
【先行技術文献】
【特許文献】
【０００４】
【特許文献１】特許第３７２１５３４号公報
【発明の概要】
【発明が解決しようとする課題】
【０００５】
このような構成を採用した横形製袋充填機においては、供給コンベアの上方には案内ローラ及び該案内ローラを支持するアームとの間の空所を充分に確保することができない。この為、供給コンベアの清掃や、製袋手段の交換などの作業を行う場合、案内ローラやアームがその作業の妨げになって、作業性が損なわれるという問題があった。
【０００６】
この発明は、このような従来の技術に存在する問題点に着目してなされたものである。その目的は、供給コンベアの清掃や製袋手段の交換などの保守作業に際して供給コンベア上方の作業スペースを確保して、作業性を改善することができる横形製袋充填機におけるフィルム案内装置を提供することにある。
【課題を解決するための手段】
【０００７】
上記の目的を達成する為に、この発明は、フィルム供給源から引き出した帯状のフィルムを製袋手段で筒状に成形し、その筒状のフィルムに向けて被包装物を供給コンベアで供給するようにした横形製袋充填機において、
前記供給コンベアの上方に配設され、案内位置において前記製袋手段に向けて所定の進入角度でフィルムを送り込み案内する位置調節可能な案内ローラと、該案内ローラを支持して上下方向に回動可能な支持部材と、
該支持部材を上方に回動した退避位置において支持部材と係合する係合部を備え、前記案内ローラを退避位置に保持する規制部材と、
該規制部材と前記支持部材との係合を解除する係合解除手段と
から構成したことを特徴としている。なお、ここで、案内ローラは、フィルムが製袋手段に向けて所定の進入角度で供給されるように、該フィルムを案内するものである。
【０００８】
従って、この発明においては、供給コンベアの清掃作業などを行う場合、支持部材の回動により案内ローラをフィルムの案内位置から上方の退避位置に移動させるとともに、規制部材と支持部材との係合により案内ローラを該退避位置に保持することができる。よって、供給コンベアの清掃作業などに際して、コンベアの上方に所要の空所を形成して清掃作業などの保守作業スペースを確保することができ、案内ローラ及び該案内ローラを支持する支持部材が作業の妨げになることなく容易に作業を行うことができて、作業性を改善することができる。
【０００９】
前記の構成において、前記支持部材と前記規制部材の何れか一方に凹状係合部を有し、他方に凸状係合部を有し、それら凹状係合部と凸状係合部による凹凸の嵌め合いで係合することが好ましい。
【００１０】
前記の構成において、前記係合部は退避位置から前記案内ローラを下方に回動した案内位置までの間における複数箇所で、前記支持部材で保持し得る複数の係合位置を設けることが好ましい。
【００１１】
前記の構成において、前記支持部材を下方の案内位置で移動不能に固定する固定手段を設ることが好ましい。
前記の構成において、前記案内ローラは、前記支持部材におけるアームに対して移動可能に支持され、案内ローラの支持位置に応じて、案内ローラから前記製袋手段に向けて送り込まれるフィルムの進入角度を変化させ得るようにするとよい。
【００１２】
前記の構成において、前記支持部材は、案内ローラを支持するアームと、該アームの端部に回動可能に支持した係合レバーからなる係合解除手段とを備え、該係合レバーが規制部材の係合部の上方へ係合するように構成するとよい。
【発明の効果】
【００１３】
以上のように、この発明によれば、供給コンベアの清掃などの作業を行う際に、案内ローラとその案内ローラの支持部材とを上方の退避位置まで移動し、供給コンベアの上方の空所を拡大して保守作業スペースを確保できるので、供給コンベアの清掃作業などの作業性を改善することができるという効果を発揮する。
【図面の簡単な説明】
【００１４】
【図１】一実施形態の横形製袋充填機におけるフィルム案内装置を示す図。
【図２】図１のフィルム案内装置を矢視Ｑ方向から見た部分破断図。
【図３】図２のＡ−Ａ線における拡大断面図。
【図４】図１のフィルム案内装置の動作状態を示す図。
【発明を実施するための形態】
【００１５】
図１に示す本実施形態の横形製袋充填機は、フィルム供給部１０におけるフィルム供給源としての原反ロール１２Ａ，１２Ｂから引き出された帯状のフィルムＦを下方に配設された製袋手段１４で筒状に成形し、該筒状のフィルムＦ中に供給コンベア１３から所定間隔毎に物品Ｍを供給し、フィルムＦに所定のシールを施して包装製品を得るようにしている。
【００１６】
本実施形態のフィルム供給部１０は以下のようになっている。即ち、フレーム１１の前面に回転可能に支持された２つの原反ロール１２Ａ，１２Ｂの一方から引き出された帯状のフィルムＦは、自由回転可能に配設される複数の案内ローラ１６Ａ〜１６Ｅに巻き掛け案内されて、製袋手段１４に向けて所定の進入角度αで送り込まれる。
【００１７】
なお、所定の各案内ローラ１６Ｂと１６Ｃとの間には、不図示の駆動手段に連結されて、原反ロール１２Ａ，１２ＢからフィルムＦを引き出す繰出ローラ２５が配設されている。
【００１８】
図１及び図２のごとく、フレーム１１の前面に取付けバー１８などを介して間隔をおいた状態で支持されるブラケット１７が配設され、フレーム１１とブラケット１７の間には、案内ローラ１６Ｃが回転可能に架設され、該案内ローラ１６Ｃから両端に突出する支軸１９に、それぞれ案内ローラ１６Ｄ，１６Ｅを支持する為の支持部材２１が回動可能に軸支されている。
【００１９】
なお、支軸１９にはブラケット１７の表面側（外側）に貫通した一端部にハンドル２０が取着され、その支軸１９の他端部がギヤ機構２８に連結されている。
そして、支持部材２１は一対のアーム２２が連結バー２３によって連結されたものであり、これらは支軸１９を同軸心で一体で上下方向に回動し得る。
【００２０】
各アーム２２の内側面に沿って、アーム２２の延出端と連結バー２３との間には、雄ネジ棒２６が回転可能に支持されている。
各雄ネジ棒２６には、案内ローラ１６Ｄ，１６Ｅを回転可能に支持する支持体２４が螺合しており、ハンドル２０を回転させると、その回転がギヤ機構２８を介して雄ネジ棒２６に伝達されることにより、各支持体２４がアーム２２の延出方向に移動し得るように構成されている。
【００２１】
この支持体２４の移動により、アーム２２に対する案内ローラ１６Ｄ，１６Ｅの位置が変更されて製袋手段１４に対するフィルムの進入角度αを物品ＭのサイズやフィルムＦの材質などに対応し得るように調整される。
【００２２】
図２及び図３に示すごとく各アーム２２の離間方向である連結バー２３の長さ方向の中間には、支持ブロック３０が固定されている。支持ブロック３０には左右方向に所定間隔離間する一対の係合レバー３１がその一端側において支軸３２を介して回動可能に支持され、また、その他端側には、係合解除手段としての係合レバー３１を回動操作する為の操作把持部を兼用する連結ピン３３が取着されており、各係合レバー３１の下面には溝部からなる凹状係合部３１ａが所定間隔毎に形成されている。
【００２３】
取付けバー１８の長さ方向中央付近には、前記係合レバー３１と係合する規制部材３４が配設されている。
規制部材３４は、取付けバー１８に取着される基部３４ｂと、基部３４ｂの左右両端から、下方に伸びる一対の側部３４ｃとにより略Ｕ字状に形成され、更に、一対の側部３４ｃの下端間には棒状に形成された凸状係合部３４ａが架設されている。
【００２４】
係合レバー３１と規制部材３４とは、係合状態で規制部材３４の各側部３４ｃの内側に係合レバー３１が位置するように構成されており、図３のごとく凸状係合部３４ａと係合レバー３１の各凹状係合部３１ａとは、凹凸の嵌め合い関係で係脱可能に係合するよう構成されており、図４に示すごとく、規制部材３４の凸状係合部３４ａに対して連結ピン３３に最も近い凹状係合部３１ａが上方から載置されるように係合し、アーム２２が回動された際に案内ローラ１６Ｄ，１６Ｅの退避位置Ｐ２である上方位置に保持される。これに対して、図１及び図３のごとく、規制部材３４の凸状係合部３４ａが係合レバー３１における前記退避位置とは異なる溝部となる所定の凹状係合部３１ａに係合されることにより、フィルムＦを案内ローラ１６Ｅから製袋手段１４に所要の進入角度αで送り込むようにする案内位置Ｐ１でアーム２２が保持される。
【００２５】
なお、係合レバー３１は所定重量を有する素材で形成されており、一側端が支軸３２に支持されて回動し、規制部材３４の凸状係合部３４ａの上部に凹状係合部３１ａが係合した際に、支持部材２１の下方への回動反力を受けても、その係合状態を維持して案内ローラ１６Ｄ，１６Ｅをその係合位置で保持することができる。
【００２６】
図１及び図２に示すごとく、ブラケット１７には、支軸１９を中心にして円弧状に延びる長孔部３５が形成され、ブラケット１７に面する前方側のアーム２２には、長孔部３５に挿通された固定手段としての固定用ハンドル３６のネジ部３６ａが螺着されている。そして、支持部材２１のアーム２２がフィルムＦの案内位置Ｐ１から案内ローラ１６Ｄ，１６Ｅの退避位置Ｐ２までの所定の回動位置に位置した状態で、固定用ハンドル３６により、アーム２２がブラケット１７に対して回動不能に締め付け固定される。
【００２７】
次に、この実施形態の横形製袋充填機におけるフィルム案内装置の作用を説明する。
例えば、供給コンベア１３の清掃や、製袋手段１４の交換などの作業を行う際には、図１及び図２に示すごとく案内ローラ１６Ｄ，１６Ｅが案内位置に位置決めされた状態で固定用ハンドル３６を弛めて、アーム２２の固定を解いた後、連結ピン３３を持ち上げて、係合解除手段である係合レバー３１を図１の矢視Ｕ方向（反時計方向）に回動させ、係合レバー３１の凹状係合部３１ａと規制部材３４の凸状係合部３４ａとの係合を解除して、支持部材２１が回動し得る状態にする。
【００２８】
次に、アーム２２を図１の矢視Ｖ方向（時計方向）となる上方に向けて回動し、支持部材２１を図１に示すフィルムＦの案内位置Ｐ１から、図４に示す上方の退避位置Ｐ２に向けて移動する。
【００２９】
アーム２２が退避位置Ｐ２に至った際に、係合レバー３１を時計方向に回動させて下方に降ろすことで、係合レバー３１の支軸３２に最も近い凹状係合部３１ａを規制部材３４の凸状係合部３４ａの上部へ載置状態となって係合して、支持部材２１と案内ローラ１６Ｄ，１６Ｅとが退避位置Ｐ２に保持される。なお、固定用ハンドル３６の締め付けによって、支持部材２１を同位置に回動不能に固定するようにしてもよい。
【００３０】
ここで、係合レバー３１の凹状係合部３１ａに係合レバー３１の重みによって常に下方への回動力が作用しているので、規制部材３４との係合は解除されることなく維持される。
【００３１】
この状態においては、図４に示すごとく、供給コンベア１３の上方に所要の空所が形成されるように空間部が拡大する。この為、供給コンベア１３の清掃作業や製袋手段１４の交換作業などの保守作業に際し、案内ローラ１６Ｄ，１６Ｅや支持部材２１が作業の妨げになることなく、充分なスペースを確保できるので、容易、且つ能率的に保守作業などを行うことができる。
【００３２】
そして、保守作業の終了後に、（固定用ハンドル３６で支持部材２１を固定した場合には、その固定を解いた後に）係合レバー３１を持ち上げて反時計方向に回動させ、係合レバー３１と規制部材３４との係合を解除する。
【００３３】
次に、アーム２２を下方に向けた反時計方向に回動させて、支持部材２１と案内ローラ１６Ｄ，１６Ｅとを退避位置Ｐ２より下方となる、フィルムＦの案内位置Ｐ１に移動する。案内位置Ｐ１において、規制部材３４の凸状係合部３４ａに係合レバー３１の凹状係合部３１ａを移動前の初期位置と一致する凸状係合部３４ａの溝部に係合することで、支持部材２１がフィルムＦの案内位置Ｐ１に規制保持される。
【００３４】
これにより、案内ローラ１６Ｄ，１６Ｅと支持部材２１を退避位置へ移動する前の初期位置に確実に復帰させることができ、清掃などの保守作業の都度、アーム２２を案内位置Ｐ１と退避位置Ｐ２との間で回動させて保持する操作を繰り返す際にも、アーム２２をフィルムＦの案内位置に復帰時において変化することなく定位置に保持することができる。従って、案内位置Ｐ１に復帰させても、製袋手段１４に対するフィルムＦの進入角度αが先の設定値に維持される。そして、前記のごとく固定用ハンドル３６の締め付けによって支持部材２１を同位置に回動不能に固定することができる。このように支持部材２１を案内位置において固定することで、包装運転時に係合部３１ａ，３４ａの係合が誤って解除されてしまうことがない。
【００３５】
従って、この実施形態によれば、以下のような効果を得ることができる。
（１）供給コンベア１３の清掃作業や製袋手段１４の交換などの保守作業に際して、支持部材２１を回動させて案内ローラ１６Ｄ，１６Ｅを上方の退避位置Ｐ２に向けて移動させるとともに、規制部材３４と支持部材２１とを係合させて案内ローラ１６Ｄ，１６Ｅを退避位置Ｐ２に保持することができる。よって、そのような保守作業においてコンベア１３の上方に空所を形成して作業スペースを確保することができ、案内ローラ１６Ｄ，１６Ｅ及び支持部材２１が妨げになることなく保守作業を迅速に行うことができる等の作業性の改善を行うことができる。
【００３６】
（２）  支持部材２１と規制部材３４との係合部は、一方の係合部としての支持部材２１に配設された係合レバー３１の凹状係合部３１ａと、規制部材３４の凸状係合部３４ａとの凹凸の嵌め合い関係をもって係合または離脱させることにより、支持部材２１を所定の回動位置に対して簡便に規制保持または規制解除させることができる。よって、案内ローラ１６Ｄ，１６ＥをフィルムＦの案内位置Ｐ１と上方の退避位置Ｐ２とに簡単に切り替え配置することができる。
【００３７】
（３）  係合部における凸状係合部３４ａが案内ローラ１６Ｄ，１６Ｅの前記案内位置Ｐ１と退避位置Ｐ２との間の所定の回動位置に対応して設けられた複数の凹状係合部３１ａのひとつに選択的に係合されることにより、支持部材２１と案内ローラ１６Ｄ，１６Ｅを該位置決め保持できる。そして、支持部材２１を下方に回動して案内ローラ１６Ｄ，１６Ｅを上方の退避位置Ｐ２からフィルムＦの案内位置Ｐ１に復帰移動させる際には、凸状係合部３４ａを移動前の初期位置と同じ凹状係合部３１ａに係合させれば、製袋手段１４へのフィルムＦの所定進入角度αが変化することなく正確に位置合わせされた状態に復帰することができる。よって、適正なフィルムＦの進入角度αの設定操作をその都度実施する必要がなく、作業能率を向上させることができる。
【００３８】
（４）  固定手段を構成する固定用ハンドル３６により、支持部材２１が所要の回動位置で回動不能に固定される。この為、案内ローラ１６Ｄ，１６ＥをフィルムＦの案内位置Ｐ１において位置ズレすることなく確実に固定することができる。
【００３９】
（５）  アーム２２の延出方向に移動可能に案内ローラ１６Ｄ，１６Ｅを支持して、その支持位置を変更することにより、製袋手段１４に対して送り込まれるフィルムＦの進入角度αが変化するように調節される。また、規制部材３４の凸状係合部３４ａと係合レバー３１の凹状係合部３１ａの溝部との係合位置を選択することにより、アーム２２が下方への延出して傾斜する角度を変更して製袋手段１４に対するフィルムＦの進入角度αを調節することができる。この為、案内ローラ１６Ｄ，１６Ｅのアーム２２の延長方向における支持位置及びアーム２２の傾斜角度の組み合わせを利用して、フィルムＦを適切な進入角度αによって製袋手段１４に向けて案内することができる。
【００４０】
このように、フィルムＦの製袋手段１４に向けた進入角度αと進入路とを複合的に幅広く設定することができる。
（６）  支持部材２１が、案内ローラ１６Ｄ，１６Ｅを支持するアーム２２と、アーム２２に端部を回動可能に支持された係合レバー３１からなる係合解除手段とより構成され、係合部３１ａは係合レバー３１が規制部材３４の係合部３４ａの上方へ係合する。従って、係合レバー３１の重みによって係合状態が解除されることなく係合状態を維持することができ、また、係合レバー３１の持ち上げ動作のみによって規制部材３４と係合レバー３１とを簡便に係合及び離脱させることができる。
【００４１】
（変更例）
なお、この実施形態は、次のように変更して具体化することも可能である。
・  前記実施形態において、支持部材２１と規制部材３４との係合手段は、係合レバー３１の凹状係合部３１ａを複数の溝部とし、各溝部に規制部材３４の凸状係合部３４ａが係合するよう構成し、支持部材２１の上方への回動位置となる退避位置Ｐ２と、支持部材２１が下方へ回動した複数のフィルムＦの案内位置Ｐ１とで案内ローラ１６Ｄ，１６Ｅを保持するようにしたが、フィルムＦの案内位置を支持部材２１の下方への回動終端とすることで、少なくとも支持部材２１が上方へ回動して案内ローラ１６Ｄ，１６Ｅを退避位置Ｐ２に移動した位置において保持し得るように、凹状係合部３１ａを一つの溝部で形成した係合手段であればよい。また、好ましくは退避位置Ｐ２と一箇所の案内位置Ｐ１との夫々で案内ローラ１６Ｄ，１６Ｅを保持するよう凹状係合部３１ａは２つの溝で形成したものであっても良い。
【００４２】
・  アーム２２に配設される案内ローラ１６Ｄ，１６Ｅは、１つでも、あるいは３つ以上の多数でも良く、製袋手段１４に向けて所定の進入角度αで送り込み得る少なくとも一つの案内ローラを設けるようにすれば良い。
【００４３】
・  前記実施形態においては、支持部材２１に凹状係合部３１ａが設けられるとともに、規制部材３４に凸状係合部３４ａが設けられているが、これとは逆に、支持部材２１に凸状係合部を設けるとともに、規制部材３４に凹状係合部を設けてもよい。また、それら係合部の構成は、例えば一方の係合部としてボールプランジャその他のプランジャを配設し、他方の係合部としてプランジャが嵌合する係合溝を形成する方式や、一方の係合部を直線または円弧状の連続山形歯部で形成し、他方の係合部をその山形歯部に引っ掛けて係合する爪部材とからなる、いわゆるラチェット式など、その他の各種係合手段を採用することができる。
【００４４】
・  前記実施形態においては、支持部材２１におけるアーム２２に配設した連結バー２３の長さ方向の中間部に係合レバー３１を回動可能に支持し、これと対応する位置に設けた規制部材３４の凸状係合部３４ａとにより係合する構成としたが、これら係合手段の配設位置は特定されるものではなく、例えば一方のアーム２２に近接する位置、またはアーム２２に一体的に配設する構成や、両アーム２２の夫々に係合手段を配設する構成などを採用することができる。
【００４５】
・アーム２２の固定手段としては、工具を必要とすることなく簡単に支持部材２１を回動不能に固定するものであれば、例えばプッシュプル方式やフック式などその他の各種ロック手段を採用することができる。
【００４６】
前記実施形態における各種具体的構成については、本発明の主旨に反しない限りにおいて、他のもので代用することができる。
【符号の説明】
【００４７】
１２Ａ，１２Ｂ…原反ロール、１３…供給コンベア、１４…製袋手段、１６Ａ〜１６Ｅ…案内ローラ、１９…操作軸、２０…操作ハンドル、２１…支持部材、２２…アーム、２４…支持体、２６…雄ねじ棒、３１…係合レバー（係合解除手段）、３１ａ…凹状係合部、３４…規制部材、３４ａ…凸状係合部、３６…固定手段としての固定用ハンドル、Ｆ…フィルム、Ｍ…被包装物、α…進入角度、Ｐ１…案内位置、Ｐ２…退避位置。
【図１】
2011157112.tif 000003
【図２】
2011157112.tif 000004
【図３】
2011157112.tif 000005
【図４】
2011157112.tif 000006